【事件の表示】
　特願２００８−５０７０５５「缶中用安定化剤ブレンド」拒絶査定不服審判事件〔平成１８年１０月２６日国際公開、ＷＯ２００６／１１１４９４、平成２０年　９月１１日国内公表、特表２００８−５３６９９３、請求項の数（５）〕について、次のとおり審決する。
【結　論】
　原査定を取り消す。
　本願の発明は、特許すべきものとする。
【理　由】
第１　手続の経緯　
　本願は、２００６年４月１２日（パリ条約による優先権主張外国庁受理、２００５年４月２１日、欧州特許庁）を国際出願日とする出願であって、平成２１年４月９日に手続補正書が提出され、平成２３年１１月１６日付けの拒絶理由通知に対して、平成２４年５月１８日に意見書及び手続補正書が提出され、平成２５年１月２３日付けで拒絶査定がされ、これに対して、同年５月２９日に拒絶査定不服審判が請求されたものである。
　　　　　　　
第２　本願発明
　本願の請求項１〜５に係る発明は、平成２４年５月１８日付けの手続補正で補正された特許請求の範囲に記載された事項により特定される次のとおりのものである（以下、「本願発明１」〜「本願発明５」という。）。
　　　　　　　　　
「【請求項１】
　ａ）光開始剤；
　ｂ）共融ブレンドとして存在する４−ベンジリデン−２，６−ジ−ｔｅｒｔ−ブチル−シクロヘキサ−２，５−ジエノンおよびセバシン酸ビス（１−オキシ−２，２，６，６−テトラメチルピペリジン−４−イル）を含む安定化剤ブレンドを含む、放射線硬化性塗料またはインク組成物。
【請求項２】
　該塗料組成物が、着色または非着色のウレタン樹脂、アクリル樹脂、ポリエステル樹脂、およびエポキシ樹脂である、請求項１記載の組成物。
【請求項３】
　該インク組成物が、オフセットインク、フレキソ印刷インク、スクリーンインク、またはインクジェットインクである、請求項１または２記載の組成物。
【請求項４】
　光開始剤を場合により含む放射線硬化性塗料またはインク組成物に、共融ブレンドとして存在する４−ベンジリデン−２，６−ジ−ｔｅｒｔ−ブチル−シクロヘキサ−２，５−ジエノンおよびセバシン酸ビス（１−オキシ−２，２，６，６−テトラメチルピペリジン−４−イル）を含む安定化剤ブレンドを添加することによって、該塗料または該インク組成物の保存安定性を増大させる方法。
【請求項５】
　光開始剤を場合により含む放射線硬化性塗料またはインク組成物のための缶中用安定化剤としての共融ブレンドとして存在する４−ベンジリデン−２，６−ジ−ｔｅｒｔ−ブチル−シクロヘキサ−２，５−ジエノンおよびセバシン酸ビス（１−オキシ−２，２，６，６−テトラメチルピペリジン−４−イル）を含む安定化剤ブレンドの使用。」
　　　　　　　　　　　
第３　原査定の理由の概要
　平成２５年１月２３日付け拒絶査定は、「この出願については、平成２３年１１月１６日付け拒絶理由通知書に記載した理由によって、拒絶をすべきものです。」というものであり、平成２３年１１月１６日付け拒絶理由通知書によると次の理由によるものである。
　　　　　　　
「この出願の下記の請求項１〜１１に係る発明は、その出願前に日本国内又は外国において頒布された下記の刊行物Ａ〜Ｄに記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　
　　　　　　　　記　　　
Ａ．特開平１０−９７０５９号公報
Ｂ．特表２００４−５１３９８５号公報
Ｃ．特開平９−１６５４０８号公報
Ｄ．特表２００３−５１６４３５号公報
…」
　　　　　
　なお、平成２５年１月２３日付け拒絶査定は、共融ブレンドの定義、および、共融ブレンドした添加剤を用いることについての周知例として次の引用文献を引用している。
　　　　　　
周知例
１．「化学大辞典２」化学大辞典編集委員会編（共立出版株式会社）昭和５３年９月１０日縮刷版第２２刷発行、第８４９頁「きょうしょう，共晶，共融混合物，共析晶」の項　
２．特開平１１−３４９７３６号公報
３．特公平２−４７４８９号公報
４．特開平１０−１３０４２６号公報
　　　　　　　　　　　
第４　当審の判断
１．引用文献、周知例に記載された事項
　平成２５年１月２３日付け拒絶査定において引用された引用文献Ａ〜Ｄ、周知例１〜３には次の事項が記載されている（なお、各記載事項中の化学構造式の掲載は省略する。）。
　　　　　　
［引用文献Ａ（特開平１０−９７０５９号公報）］
Ａ１「【特許請求の範囲】
…
【請求項７】（Ａ）　成分（Ａ）、（Ｂ）、（Ｃ）および（Ｄ）の全重量に基づいて５ないし９８重量％の、プレポリマー、バインダポリマーおよびそれらの混合物からなる群から選択されたポリマー、（Ｂ）　成分（Ａ）、（Ｂ）、（Ｃ）および（Ｄ）の全重量に基づいて１．０ないし９４重量％の、エチレン性不飽和モノマー、（Ｃ）　成分（Ａ）、（Ｂ）、（Ｃ）および（Ｄ）の全重量に基づいて０．００１ないし１０重量％の、アセトフェノン並びにその誘導体、ベンゾイン並びにその誘導体、ベンゾフェノン並びにその誘導体、アントラキノン並びにその誘導体、キサントン並びにその誘導体、チオキサントン並びにその混合物、およびこれら開始剤の１種またはそれ以上の混合物からなる群より選択された光重合開始剤、および（Ｄ）　成分（Ａ）、（Ｂ）、（Ｃ）および（Ｄ）の全重量に基づいて０．０００１ないし０．２重量％の、ニトロキシルラジカル、キノンメチド、フェノチアジン、ヒドロキノン、選択されたフェノール、ニトロソ化合物およびガルビノキシルからなる群より選択された重合抑制剤からなる、レリーフ印刷プレート、エッチレジスト、ハンダマスクまたはスクリーン印刷ステンシルを製造するための感光性樹脂組成物。
…
【請求項１１】Ｎ−オキシルもしくはニトロキシド化合物、キノンメチド、ニトロソ化合物、ガルビノキシル、フェノチアジン、ヒドロキノンおよび選択されたフェノールからなる群より選択された重合抑制剤の、光重合可能な材料において散乱光または拡散光によって引き起こされる望ましくない重合を減少し、そして該光重合可能な材料への光照射によって形成された最終の現像された画像の品質および解像度を改良するための使用。」
　　　
Ａ２「【００３１】
【発明の実施の形態】…
実施例１
印刷プレート適用
脂肪族ジアクリレート７０部、エポキシ化大豆油アクリレート２０部および１，６−ヘキサンジオールジアクリレート１０部からなる液体光ポリマー混合物を印刷プレートを作製するための感光性材料として使用する。…　　　…
【００３５】 *使用された光開始剤は２，２−ジメトキシ−２−フェニルアセトフェノン、ＩｒｇａｃｕｒｅR ６５１（Ｃｉｂａ−Ｇｅｉｇｙ　Ｃｏｒｐ．）１．５重量％である。…
【００３６】**Ａはビス（１−オキシル−２，２，６，６−テトラメチルピペリジニ−４−イル）セバケートである。Ｂはキノンメチド、４−ベンジリデン−２，６−ジ−第三ブチルシクロヘキサ−２，５−ジエノンである。Ｃは１−オキシル−２，２，６，６−テトラメチル−４−ヒドロキシピペリジンである。Ｄはｎ−オクタデシル３，５−ジ−第三ブチル−４−ヒドロキシヒドロシンナメート、ＩｒｇａｎｏｘR １０７６（Ｃｉｂａ−Ｇｅｉｇｙ　Ｃｏｒｐ．）である。Ｅは２，６−ジニトロ−４−メチルフェノールである。Ｆは４−メトキシフェノールである。…」
　　　　　　　　
［引用文献Ｂ（特表２００４−５１３９８５号公報）］
Ｂ１「【特許請求の範囲】
【請求項１】エチレン性不飽和モノマーの早期重合を抑制する方法において、
　Ａ）少なくとも１種のニトロキシル化合物、及び
　Ｂ）７−位置に電子吸引性基を有する少なくとも１種のキノンアルカイド化合物、
の有効量を前記モノマーに添加する工程を包含する、上記抑制方法。
…
【請求項４】
ニトロキシル化合物は、
…セバシン酸ビス（１−オキシル−２，２，６，６−テトラメチルピペリジン−４−イル）…から成る群から選ぶ、請求項１に記載の方法。
【請求項５】
キノンアルカイドは、…の化合物である、請求項１に記載の方法。
【請求項６】
キノンアルカイドは、
…２，６−ジ−ｔｅｒｔ−ブチル−４−（２−オキソプロピリデン）−シクロヘキサ−２，５−ジエノン…から成る群から選ぶ、請求項５に記載の方法。」
　　　　　　　
Ｂ２「【００２４】
（発明の概要）
前述の通り、（ａ）ニトロキシル化合物及び（ｂ）キノンメチドはそれぞれ、不飽和モノマーのラジカル重合の抑制剤又は遅延剤であることが知られている。本発明は、少なくとも１種のニトロキシル化合物と、７−位置（７−ｐｏｓｉｔｉｏｎ）に電子吸引性基を有する少なくとも１種のキノンアルカイド（ｑｕｉｎｏｎｅ　ａｌｋｉｄｅ）（好ましくは、キノンメチド（ｑｕｉｎｏｎｅ　ｍｅｔｈｉｄｅ））との組合せは、定常状態でポリマーの数が少ないことと、定常状態動的試験装置において原料供給を停止した後の重合速度が遅いこととの両方によって示されるように、いずれかの成分単独よりも一層優れた性能を提供するという発見に向けられている。
【００２５】
一層詳しく言えば、本発明は、エチレン性不飽和モノマーの早期重合を抑制する方法において、
Ａ）少なくとも１種のニトロキシル化合物と、
Ｂ）７−位置に電子吸引性基を有する少なくとも１種のキノンアルカイド化合物と
の有効量を前記モノマーに添加する工程を包含する上記抑制方法に向けられている。
本発明はもう１つの面において、
Ａ）少なくとも１種のニトロキシル化合物と、
Ｂ）７−位置に電子吸引性基を有する少なくとも１種のキノンアルカイド化合物と
を含有する組成物に向けられている。」
　　　　　　　
［引用文献Ｃ（特開平９−１６５４０８号公報）］
Ｃ１「【特許請求の範囲】
【請求項１】（ａ）エチレン性不飽和モノマーもしくはモノマーの混合物ならびに、（ｂ）式Ｉ
（省略） 　　
（式中、Ｒ1 およびＲ2 は、独立して、炭素原子数４ないし１８のアルキル基、炭素原子数５ないし１２のシクロアルキル基または炭素原子数７ないし１５のフェニルアルキル基を表し、およびＲ3 は２−、３−もしくは４−ピリジル基、２−もしくは３−チエニル基、２−もしくは３−ピリル基、２−もしくは３−フリル基、炭素原子数６ないし１０のアリール基または；１ないし３個の、炭素原子数１ないし８のアルキル基、炭素原子数１ないし８のアルコキシ基、炭素原子数１ないし８のアルキルチオ基、炭素原子数１ないし８のアルキルアミノ基、炭素原子数２ないし８のジアルキルアミノ基、炭素原子数２ないし８のアルコキシカルボニル基、ヒドロキシ基、ニトロ基、アミノ基、シアノ基、カルボキシ基、アミノカルボニル基、クロロ基または前記置換基の混合物によって置換される前記アリール基を表す。）で表される化合物からなる安定化モノマー組成物。
…」
　　　　　　
Ｃ２「【００４６】
実施例１
この化合物はＢ．コウテックら（Ｂ．Ｋｏｕｔｅｋ　ｅｔ　ａｌ．），Ｓｙｎｔｈ．　Ｃｏｍｍｕｎ．６（４），３０５（１９７６）により記載された方法によって製造される。
…
【００５４】
実施例９
（Ａ）一連の７−アリールキノンメチド
市販規格のスチレンから１Ｎ水酸化ナトリウム，水で洗浄し続いて減圧下で蒸留することにより第三ブチルカテコール貯蔵安定剤を除去する。温度計、コンデンサー、ゴム隔壁(rubber septum) およびマグネチックスターラー棒を備えた３００ｍｌの３首フラスコに精製したスチレン１００ｇおよび試験する抑制剤２０．０ｍｇまたは抑制剤の混合物２０ｍｇを装填して、総抑制剤２００ｐｐｍを含むスチレンを得る。５回の、連続した排気および窒素による埋め戻し(backfilling) により無酸素の雰囲気をつくり、続いてスチレン溶液を１５分間純粋な窒素によりスパージする。容器を次に機械的に攪拌されおよびサーモスタット制御の１２０℃の油浴に浸し、そして４５分間加熱する。形成されたポリスチレンの量は、公知の濃度のスチレン溶液中の基準のポリスチレンにより検量される、屈折率の測定により決定される。形成されたポリスチレンの量がより低いほど、当該抑制剤化合物はより有効である。いずれかの抑制剤の添加なしには６．２％ポリスチレンが形成される。抑制剤を伴い得られるポリマーのレベルを以下に表に列挙する。
実施例の化合物　　　　　４５分後のポリマーのパーセント
　　　１　　　　　　　　　　　　　０．４８
　　　２　　　　　　　　　　　　　０．３２　　　　
　　　３　　　　　　　　　　　　　０．３２　　　　
　　　４　　　　　　　　　　　　　０．３２　　　　
　　　５　　　　　　　　　　　　　１．１３　　　　
　　　６　　　　　　　　　　　　　０．４８　　　　
　　　７　　　　　　　　　　　　　０．６５　　　　
　　　８　　　　　　　　　　　　　０．４８　　　　
７−アリールキノンメチドはスチレンモノマー用の重合抑制剤として極めて有効である。
…
【００５６】（Ｃ）式Ｉの化合物と安定な立体障害性ニトロキシルフリーラジカルとの混合物
同じ抑制剤総濃度において安定な立体障害性ニトロキシルフリーラジカル抑制剤との立体障害性７−アリールキノンメチドのブレンドはいずれかの成分それ自体によるよりも、形成されるポリマーの量を減少させることにかなりより有効であることが見出された。この相乗効果は実施例１の７−アリールキノンメチド化合物に関する以下に示す表で明らかにされる。
抑制剤　　　　　　　　　濃度　　　　　４５分後のポリマーのパーセント
実施例１の化合物　　　　２００ｐｐｍ　　　　　　　０．４８　　　　　　
　　　　　　　　　　　　　　　　　　　　　　　　　　　　　　　　　　　
ニトロキシル* 　　　　　２００ｐｐｍ　　　　　　　１．３７　　　　　　
　　　　　　　　　　　　　　　　　　　　　　　　　　　　　　　　　　　
実施例１の化合物　　　　１００ｐｐｍ　　　　　　　　　　　　　　　　
　　
　　　＋　　　　　　　　　　＋　　　　　　　　　　０．１６　　　　　　
ニトロキシル* 　　　　　１００ｐｐｍ　　　　　　　　　　　　　　　　
＊ニトロキシルはビス（１−オキシル−２，２，６，６−テトラメチルピペリジン−４−イル）セバケート
　　　
　ニトロキシルフリーラジカルを本発明の７−アリールキノンメチドと一緒に使用する場合に相乗効果が得られることは明白である。」
　　　　　　　　　　　
［引用文献Ｄ（特表２００３−５１６４３５号公報）］
Ｄ１「【特許請求の範囲】
【請求項１】ａ１）少なくとも１個のエチレン性不飽和結合を有するオリゴマー、コオリゴマー、ポリマー若しくはコポリマーの少なくとも１個又はそれらの混合物；又は
ａ２）少なくとも１個のエチレン性不飽和モノマーと少なくとも１個のエチレン性不飽和結合を有するオリゴマー、コオリゴマー、ポリマー又はコポリマーの少なくとも１個との混合物；及び
ｂ）少なくとも１個の安定した立体的ヒンダードニトロキシルフリーラジカル、又は少なくとも１個のベンゾフラン−２−オン型化合物、又は２個の化合物の混合物を含む組成物。
…
【請求項５】安定した立体的ヒンダードニトロキシルフリーラジカルが、ビス（１−オキシル−２，２，６，６−テトラメチルピペリジン−４−イル）セバカート…からなる群より選択される、請求項１記載の組成物。
…」
　　　　　　　　　
Ｄ２「【００５５】
　少なくとも１個のエチレン性不飽和結合を含有する光重合性モノマー、オリゴマー、コオリゴマー、ポリマー又はコポリマーを、混合物として配合する場合、非常に限定された用途のために配合できる。例は、クリアラッカー、プリントインク、着色表面被覆、半導体産業におけるエッチングレジスト又は半だレジストである。」
　　　　　　
［周知例１（「化学大辞典２」「きょうしょう，共晶，共融混合物，共析晶」の項）］
周１「液相から同時に結晶として析出する２種以上の結晶の混合物．二成分または多成分系融点図で，固溶体を生じない場合，極小融点に対応する組成をもった固相である．各成分の固相の結晶が機械的に混合したものであるが，一定温度で融解する．…」
　　　　　　　　　
［周知例２（特開平１１−３４９７３６号公報）］
周２「【０００５】本発明者は、架橋剤Ｎ，Ｎ’−ｍ−フェニレンジマレイミドと架橋促進剤サリチル酸との組成比の異なる混合物について、ＤＳＣ（示差走査熱量測定）によって融点を測定した。その結果、…、マレイミド／サリチル酸混合物の融点は、組成比が４／６〜７／３の場合、１４２℃であり、マレイミド単独の場合よりも６０℃も低くなることが分かった。
…
【０００７】また、この組成範囲では、組成物が１つの融点を示したのに対して、マレイミド／サリチル酸混合物の組成比が１／９〜３／７、８／２〜９／１の範囲では、組成物は２つの融点を示した。このことは、組成比が４／６〜７／３の範囲では、マレイミド／サリチル酸混合物は共融混合物を形成しているのに対して、他の組成比では、マレイミド／サリチル酸混合物は共融しきらない状態にあると考えられる。このように共融しきらない状態にあるマレイミド／サリチル酸混合物においては、マレイミドとサリチル酸との混合が不十分となっているので、サリチル酸の架橋促進剤としての効果が十分には発揮されない。したがって、架橋促進剤としてのマレイミド／サリチル酸混合物の組成比は４／６〜７／３の範囲内にあることが好ましい。」
　　　　　　　　　　　
［周知例３（特公平２−４７４８９号公報）］
周３「酸化防止剤Ａの添加量は、ゴム強化スチレン系樹脂１００重量部に対して、０．０５重量部〜３重量部の範囲であり、これに共融させる酸化防止剤Ｂの添加量は、Ａに対する重量比率で０．１〜０．７の範囲である。酸化防止剤Ａの量が０．０５重量部未満の場合には酸化防止効果が得られない。また、３重量部を越える場合には、加熱変形温度が低下する等の好ましくない性質が現われ、これ以上添加しても期待した程の効果が得られない。特に好ましい範囲は、０．１〜２．０重量部である。
　酸化防止剤ＢのＡに対する比率が０．１未満の場合には、Ｂの効果が十分に発現しない。また、比率が０．７を越える場合には共融しなくなるため均一な乳化状態は得られず、Ｂの効果を十分に発現させることはできない。
　酸化防止剤Ｂを酸化防止剤Ａに共融させる方法としては、例えば次の方法がある。Ａを先ずその融点以上の高温に加熱して融解させ、その中にＢを融解させる。この時必要があれば加圧して１００℃以上の温度まで昇温させる。次に乳化剤水溶液を添加しながら攪拌して乳化液を作成する。このように、共融させた後に均一な乳化状態が得られる方法であれば良く、この方法に限定されるものではない。」（第３頁第５欄第１５〜３８行）
　　　　　　
［周知例４（特開平１０−１３０４２６号公報）］
周４「【００２９】上記実施例および比較例の結果から明らかなように、２種類の酸化防止剤の共融解物をポリオレフィン系樹脂に配合したものは、共融解物を作成せずに２種類の酸化防止剤をそのままポリオレフィン系樹脂に配合したものに比べて、熱老化性に対する耐性が非常に優れており、さらにブルーミング試験におけるブルーミングは極めて少なかった。また、長鎖アルキル基を有していない酸化防止剤を用いた比較例４は、共融解物を作成した後にポリオレフィン系樹脂に配合したにもかかわらず、耐熱老化性および耐ブルーミング性ともに劣っていた。」
　　　　　　　　
２．引用文献Ａ〜Ｄに記載された発明
　引用文献Ａには、プレポリマー、バインダポリマーおよびそれらの混合物からなる群から選択されたポリマーである成分（Ａ）、エチレン性不飽和モノマーである成分（Ｂ）、光重合開始剤である成分（Ｃ）、ニトロキシルラジカル、キノンメチド、フェノチアジン、ヒドロキノン、選択されたフェノール、ニトロソ化合物およびガルビノキシルからなる群より選択された重合抑制剤である成分（Ｄ）からなる、レリーフ印刷プレート、エッチレジスト、ハンダマスクまたはスクリーン印刷ステンシルを製造するための感光性樹脂組成物が記載され（摘示Ａ１）、重合抑制剤である成分（Ｄ）として「ビス（１−オキシル−２，２，６，６−テトラメチルピペリジニ−４−イル）セバケート」、「４−ベンジリデン−２，６−ジ−第三ブチルシクロヘキサ−２，５−ジエノン」を使用した実施例が記載されている（摘示Ａ２）から、以上を総合すると、引用文献Ａには次の発明が記載されているといえる（以下、「引用発明Ａ」という。）。
　　
引用発明Ａ：「光重合開始剤である成分（Ｃ）、
４−ベンジリデン−２，６−ジ−第三ブチルシクロヘキサ−２，５−ジエノン、ビス（１−オキシル−２，２，６，６−テトラメチルピペリジニ−４−イル）セバケート等からなる群より選択された成分（Ｄ）、を含むレリーフ印刷プレート、エッチレジスト、ハンダマスクまたはスクリーン印刷ステンシルを製造するための感光性樹脂組成物。」
　　　　　　　　　　　
　　　　　　　　　　　
　また、引用文献Ｂには、Ａ）少なくとも１種のニトロキシル化合物、及び
Ｂ）７−位置に電子吸引性基を有する少なくとも１種のキノンアルカイド化合物の有効量を添加してエチレン性不飽和モノマーの早期重合を抑制する方法が記載され（摘示Ｂ１、Ｂ２）、ニトロキシル化合物、７−位置に電子吸引性基を有する少なくとも１種のキノンアルカイド化合物として、セバシン酸ビス（１−オキシル−２，２，６，６−テトラメチルピペリジン−４−イル）等から成る群から選ばれたもの、２，６−ジ−ｔｅｒｔ−ブチル−４−（２−オキソプロピリデン）−シクロヘキサ−２，５−ジエノン等から成る群から選ばれたものを用いることが記載されている（摘示Ｂ１）から、以上を総合すると、引用文献Ｂには次の発明が記載されているといえる（以下、「引用発明Ｂ」という。）。
　　　　
引用発明Ｂ：「Ａ）セバシン酸ビス（１−オキシル−２，２，６，６−テトラメチルピペリジン−４−イル）等から成る群から選ばれたニトロキシル化合物、及び、Ｂ）２，６−ジ−ｔｅｒｔ−ブチル−４−（２−オキソプロピリデン）−シクロヘキサ−２，５−ジエノン等から成る群から選ばれた７−位置に電子吸引性基を有するキノンアルカイド化合物の有効量を添加してエチレン性不飽和モノマーの早期重合を抑制する方法。」
　　　　　　　　　　
　　　　　　　　　
　また、引用文献Ｃには、安定化モノマー組成物に係る発明が記載され（摘示Ｃ１）、その実施例として、１００ｐｐｍの２，６−ジ−第三ブチル−ベンジリデン−シクロヘキサ−２，５ジエノンと、１００ｐｐｍのビス（１−オキシル−２，２，６，６−テトラメチルピペリジン−４−イル）セバケートとを用いた例が記載されている（摘示Ｃ２）から、以上を総合すると、引用文献Ｃには次の発明が記載されているといえる（以下、「引用発明Ｃ」という。）。
　　　　
引用発明Ｃ：「１００ｐｐｍのビス（１−オキシル−２，２，６，６−テトラメチルピペリジン−４−イル）セバケートと、１００ｐｐｍの２，６−ジ−第三ブチル−ベンジリデン−シクロヘキサ−２，５ジエノンとを含む安定化モノマー組成物。」
　　　　　　　　
　　　　　　　　
　また、引用文献Ｄには、安定した立体的ヒンダードニトロキシルフリーラジカルとしてビス（１−オキシル−２，２，６，６−テトラメチルピペリジン−４−イル）セバカートを含むエチレン性不飽和樹脂混合物に係る発明が記載され（摘示Ｄ１）、当該混合物がプリントインク等の用途で用いられることが記載されている（摘示Ｄ２）から、以上を総合すると、引用文献Ｄには次の発明が記載されているといえる（以下、「引用発明Ｄ」という。）。
　　　　
引用発明Ｄ：「ビス（１−オキシル−２，２，６，６−テトラメチルピペリジン−４−イル）セバカートを含む、プリントインクの用途で用いられるエチレン性不飽和樹脂混合物。」
　　　　　　　　　　　
３．本願発明１について
（１）引用発明Ａを主引用発明とした場合について
ア．対比
　引用発明Ａの「光重合開始剤である成分（Ｃ）」、「４−ベンジリデン−２，６−ジ−第三ブチルシクロヘキサ−２，５−ジエノン」、「ビス（１−オキシル−２，２，６，６−テトラメチルピペリジニ−４−イル）セバケート」、「レリーフ印刷プレート、エッチレジスト、ハンダマスクまたはスクリーン印刷ステンシルを製造するための感光性樹脂組成物」は、順に、本願発明１の「ａ）光開始剤」、「４−ベンジリデン−２，６−ジ−ｔｅｒｔ−ブチル−シクロヘキサ−２，５−ジエノン」、「セバシン酸ビス（１−オキシ−２，２，６，６−テトラメチルピペリジン−４−イル）」、「放射線硬化性塗料またはインク組成物」に相当するから、両者は、
「ａ）光開始剤；
　ｂ）…４−ベンジリデン−２，６−ジ−ｔｅｒｔ−ブチル−シクロヘキサ−２，５−ジエノン…セバシン酸ビス（１−オキシ−２，２，６，６−テトラメチルピペリジン−４−イル）…を含む、放射線硬化性塗料またはインク組成物。」
の点で一致し、次の点で相違する。
　　　
相違点Ａ−１：本願発明１は４−ベンジリデン−２，６−ジ−ｔｅｒｔ−ブチル−シクロヘキサ−２，５−ジエノン、及び、セバシン酸ビス（１−オキシ−２，２，６，６−テトラメチルピペリジン−４−イル）の両方を必須成分とするのに対して、引用発明Ａはそれらを含む群のうちの少なくとも１つを含めばよいものである点。
　　　
相違点Ａ−２：本願発明１は４−ベンジリデン−２，６−ジ−ｔｅｒｔ−ブチル−シクロヘキサ−２，５−ジエノン、及び、セバシン酸ビス（１−オキシ−２，２，６，６−テトラメチルピペリジン−４−イル）を共融ブレンドとして存在する安定化剤ブレンドとして含むものであるのに対して、引用発明Ａは斯かる事項を発明特定事項とするものでない点。
　　　　　　　　　　
イ．判断
（ア）相違点Ａ−１について
　引用発明Ａは、４−ベンジリデン−２，６−ジ−ｔｅｒｔ−ブチル−シクロヘキサ−２，５−ジエノン、セバシン酸ビス（１−オキシ−２，２，６，６−テトラメチルピペリジン−４−イル）をいずれも含有し得る成分とするものであって、斯かる成分を併用してみることは当業者が通常の創作能力の範囲内で容易に想到し得たことと認めらるから、相違点Ａ−１に係る本願発明１の構成の点は当業者が通常の創作能力の範囲内で容易に想到し得たことと認められる。
　　　　　　
（イ）相違点Ａ−２について
　例えば、周知例１に、共融混合物（すなわち、共融ブレンド）について、「液相から同時に結晶として析出する２種以上の結晶の混合物．二成分または多成分系融点図で，固溶体を生じない場合，極小融点に対応する組成をもった固相である．…」（周１）と記載されるように、共融ブレンドは、固溶体を生じない場合に「極小融点に対応する組成」を持つという条件を満たすものであって、２種以上の結晶の単なる混合物とはいえないものと解される（なお、本件の応対記録に別添２として添付した平成２６年１月１７日付け請求人提出書類における「Ｅｕｔｅｃｔｉｃ　ｓｙｓｔｅｍ」（共融システム、http://en.wikipedia.org/wiki/Eutectic system）との資料にも同様の事項が開示されている。）。
　そして、共融ブレンドが「極小融点に対応する組成」を持つという条件を満たす構成成分の種類に応じた混合比率を有する組成物であること（本願発明１における「セバシン酸ビス（１−オキシ−２，２，６，６−テトラメチルピペリジン−４−イル）」と「４−ベンジリデン−２，６−ジ−ｔｅｒｔ−ブチル−シクロヘキサ−２，５−ジエノン」については、本願明細書の段落【００１６】、【００６６】等に両者の割合が１０／９０（モル／モル）であると記載されている。）を考慮すると、引用発明Ａにおいて、セバシン酸ビス（１−オキシ−２，２，６，６−テトラメチルピペリジン−４−イル）、４−ベンジリデン−２，６−ジ−ｔｅｒｔ−ブチル−シクロヘキサ−２，５−ジエノンの両方を必須成分としたうえで、それらを「極小融点に対応する組成」を持つという条件を満たす共融ブレンドとなるような割合とすることは、引用文献Ａに記載された技術的事項に基づいて、当業者が容易に想到し得たこととは認められない。
　また、周知例２〜４（周２〜４）には、添加成分を共融ブレンドとすることが記載されていることを考慮しても、引用発明Ａにおいて、セバシン酸ビス（１−オキシ−２，２，６，６−テトラメチルピペリジン−４−イル）、４−ベンジリデン−２，６−ジ−ｔｅｒｔ−ブチル−シクロヘキサ−２，５−ジエノンを「極小融点に対応する組成」を持つという条件を満たす共融ブレンドとなる割合として用いることを当業者が容易に想到し得たといえる程の動機付けが存在するとは認められない。
　そうすると、相違点Ａ−２に係る本願発明１の構成の点は、引用文献Ａに記載された発明、周知例１〜４に例示された周知技術に基づいて、当業者が容易に想到し得たものとはいえない。
　　　　　　　　　　　　　　　
（ウ）小括
　よって、上記相違点のうち、相違点Ａ−２に係る本願発明１の構成の点は、引用文献１、周知例１〜４に記載された発明、周知技術に基づいて、当業者が容易に想到し得たものとは認められない。
　そして、セバシン酸ビス（１−オキシ−２，２，６，６−テトラメチルピペリジン−４−イル）、４−ベンジリデン−２，６−ジ−ｔｅｒｔ−ブチル−シクロヘキサ−２，５−ジエノンを共融ブレンドとすることによる本願発明１の保存安定性についての効果は、引用文献Ａ、周知例１〜４から当業者が予測し得たといえないものと認められる。
　そうすると、本願発明１は、引用文献Ａに記載された発明、周知例１〜４に例示された周知技術に基づいて、当業者が容易になし得たものとは認められない。
　　　　　　　　　
（２）引用発明Ｂを主引用発明とした場合について
ア．対比
　引用発明Ｂの「Ａ）セバシン酸ビス（１−オキシル−２，２，６，６−テトラメチルピペリジン−４−イル）等から成る群から選ばれたニトロキシル化合物」、「Ｂ）２，６−ジ−ｔｅｒｔ−ブチル−４−（２−オキソプロピリデン）−シクロヘキサ−２，５−ジエノン等から成る群から選ばれた７−位置に電子吸引性基を有するキノンアルカイド化合物」は、本願発明１の「セバシン酸ビス（１−オキシ−２，２，６，６−テトラメチルピペリジン−４−イル）」、「４−ベンジリデン−２，６−ジ−ｔｅｒｔ−ブチル−シクロヘキサ−２，５−ジエノン」に相当するから、両者は、
「…４−ベンジリデン−２，６−ジ−ｔｅｒｔ−ブチル−シクロヘキサ−２，５−ジエノンおよびセバシン酸ビス（１−オキシ−２，２，６，６−テトラメチルピペリジン−４−イル）を含む…組成物。」の点で一致し、次の点で相違する。
　　　
相違点Ｂ−１：本願発明１は４−ベンジリデン−２，６−ジ−ｔｅｒｔ−ブチル−シクロヘキサ−２，５−ジエノン、及び、セバシン酸ビス（１−オキシ−２，２，６，６−テトラメチルピペリジン−４−イル）を共融ブレンドとして存在する安定化剤ブレンドとして含むものであるのに対して、引用発明Ｂは斯かる事項を発明特定事項とするものでない点。
　　　　　　　
相違点Ｂ−２：本願発明１は光開始剤を含むのに対して、引用発明Ｂは斯かる事項を発明特定事項とするものでない点。
　　　　　
相違点Ｂ−３：本願発明１は放射線硬化性塗料またはインク組成物に係るものであるのに対して、引用発明Ｂは斯かる事項を発明特定事項とするものでない点。
　　　　　　　　
イ．判断
　相違点Ｂ−１〜Ｂ−３のうち、相違点Ｂ−１は、前記「（１）ア．」に記載した本願発明１と引用発明Ａとの相違点Ａ−２と同様の相違点であり、相違点Ｂ−１に係る本願発明１の構成の点は、上記「（１）イ．（イ）」に相違点Ａ−２について記載した理由と同様の理由によって、引用文献Ｂに記載された発明、周知例１〜４に例示された周知技術に基づいて、当業者が容易に想到し得たものとはいえないから、相違点Ｂ−２、３について判断するまでもなく、本願発明１は、引用文献Ｂに記載された発明、周知例１〜４に例示された周知技術に基づいて、当業者が容易になし得たものとは認められない。
　　　　　　　
（３）引用発明Ｃを主引用発明とした場合について
ア．対比
　引用発明Ｃの「１００ｐｐｍのビス（１−オキシル−２，２，６，６−テトラメチルピペリジン−４−イル）セバケート」は、本願発明１の「セバシン酸ビス（１−オキシ−２，２，６，６−テトラメチルピペリジン−４−イル）」に相当し、引用発明Ｃの「１００ｐｐｍの２，６−ジ−第三ブチル−ベンジリデン−シクロヘキサ−２，５ジエノン」は、本願発明１の「４−ベンジリデン−２，６−ジ−ｔｅｒｔ−ブチル−シクロヘキサ−２，５−ジエノン」を包含するものと認められるから、両者は、
「…ベンジリデン−２，６−ジ−ｔｅｒｔ−ブチル−シクロヘキサ−２，５−ジエノンおよびセバシン酸ビス（１−オキシ−２，２，６，６−テトラメチルピペリジン−４−イル）を含む…組成物。」の点で一致し、次の点で相違する。
　　　
相違点Ｃ−１：ベンジリデン−２，６−ジ−ｔｅｒｔ−ブチル−シクロヘキサ−２，５−ジエノンについて、本願発明１はベンジリデン基を４位に有するものであるのに対して、引用発明Ｃは斯かる事項を発明特定事項とするものでない点。
　　
相違点Ｃ−２：４−ベンジリデン−２，６−ジ−ｔｅｒｔ−ブチル−シクロヘキサ−２，５−ジエノン、及び、セバシン酸ビス（１−オキシ−２，２，６，６−テトラメチルピペリジン−４−イル）を共融ブレンドとして存在する安定化剤ブレンドとして含むものであるのに対して、引用発明Ｃは斯かる事項を発明特定事項とするものでない点。
　　　　　　　
相違点Ｃ−３：本願発明１は光開始剤を含むのに対して、引用発明Ｃは斯かる事項を発明特定事項とするものでない点。
　　　　　
相違点Ｃ−４：本願発明１は放射線硬化性塗料またはインク組成物に係るものであるのに対して、引用発明Ｃは斯かる事項を発明特定事項とするものでない点。
　　　　　　　　
イ．判断
　相違点Ｃ−１〜Ｃ−４のうち、相違点Ｃ−２は、前記「（１）ア．」に記載した本願発明１と引用発明Ａとの相違点Ａ−２と同様の相違点であり、相違点Ｃ−２に係る本願発明１の構成の点は、上記「（１）イ．（イ）」に相違点Ａ−２について記載した理由と同様の理由によって、引用文献Ｃに記載された発明、周知例１〜４に例示された周知技術に基づいて、当業者が容易に想到し得たものとはいえないから、相違点Ｃ−１、３、４について判断するまでもなく、本願発明１は、引用文献Ｃに記載された発明、周知例１〜４に例示された周知技術に基づいて、当業者が容易になし得たものとは認められない。
　　　　　　　　　　　
（４）引用発明Ｄを主引用発明とした場合について
ア．対比
　引用発明Ｄの「ビス（１−オキシル−２，２，６，６−テトラメチルピペリジン−４−イル）セバカート」、「プリントインクの用途で用いられるエチレン性不飽和樹脂混合物」は、本願発明１の「セバシン酸ビス（１−オキシ−２，２，６，６−テトラメチルピペリジン−４−イル）」、「放射線硬化性塗料またはインク組成物」に相当すると認められるから、両者は、
「…セバシン酸ビス（１−オキシ−２，２，６，６−テトラメチルピペリジン−４−イル）を含む…放射線硬化性塗料またはインク組成物」の点で一致し、次の点で相違する。
　　　
相違点Ｄ−１：本願発明１は４−ベンジリデン−２，６−ジ−ｔｅｒｔ−ブチル−シクロヘキサ−２，５−ジエノンを含むのに対して、引用発明Ｄは斯かる事項を発明特定事項とするものでない点。
　　　　
相違点Ｄ−２：本願発明１は４−ベンジリデン−２，６−ジ−ｔｅｒｔ−ブチル−シクロヘキサ−２，５−ジエノン、及び、セバシン酸ビス（１−オキシ−２，２，６，６−テトラメチルピペリジン−４−イル）を共融ブレンドとして存在する安定化剤ブレンドとして含むものであるのに対して、引用発明Ｄは斯かる事項を発明特定事項とするものでない点。
　　　　　
相違点Ｄ−３：本願発明１は光開始剤を含むのに対して、引用発明Ｄは斯かる事項を発明特定事項とするものでない点。
　　　　　
イ．判断
　相違点Ｄ−１〜Ｄ−３のうち、相違点Ｄ−２は、前記「（１）ア．」に記載した本願発明１と引用発明Ａとの相違点Ａ−２と同様の相違点であり、相違点Ｄ−２に係る本願発明１の構成の点は、上記「（１）イ．（イ）」に相違点Ａ−２について記載した理由と同様の理由によって、引用文献Ｄに記載された発明、周知例１〜４に例示された周知技術に基づいて、当業者が容易に想到し得たものとはいえないから、相違点Ｄ−１、３について判断するまでもなく、本願発明１は、引用文献Ｄに記載された発明、周知例１〜４に例示された周知技術に基づいて、当業者が容易になし得たものとは認められない。
　　　　　　　
（５）まとめ
　以上のとおりであって、本願発明１は、引用文献Ａ〜Ｄに記載された発明、周知例１〜４に例示された周知技術に基づいて当業者が容易になし得たものとは認められない。
　　　　　　　　
４．本願発明２、３について
　本願特許請求の範囲の請求項２、３は、請求項１を直接的ないし間接的に引用して記載されたものであって、本願発明１に係る構成をすべて有するものである。
　そうすると、本願発明２、３と引用発明Ａ〜Ｄとを対比すると、前記「３」に記載した相違点Ａ−１〜Ａ−２、相違点Ｂ−１〜Ｂ−３、相違点Ｃ−１〜Ｃ−４、相違点Ｄ−１〜Ｄ−３と同様の相違点が存在するといえ、これらの相違点のうち、相違点Ａ−２、相違点Ｂ−１、相違点Ｃ−２、相違点Ｄ−２に係る本願発明２、３の構成の点については、前記「３．」に当該相違点について記載した理由と同様の理由によって、引用文献Ａ〜Ｄに記載された発明、周知例１〜４に例示された周知技術に基づいて、当業者が容易になし得たものとはいえない。
　よって、その余の点について検討するまでもなく、本願発明２、３は、引用文献Ａ〜Ｄに記載された発明、周知例１〜４に例示された周知技術に基づいて、当業者が容易になし得たものとは認められない。
　　　　　　　　　　
５．本願発明４、５について
　本願発明４は、その発明特定事項からみて、「ａ）光開始剤…を含む」、「ｂ）共融ブレンドとして存在する４−ベンジリデン−２，６−ジ−ｔｅｒｔ−ブチル−シクロヘキサ−２，５−ジエノンおよびセバシン酸ビス（１−オキシ−２，２，６，６−テトラメチルピペリジン−４−イル）を含む安定化剤ブレンドを含む」、「放射線硬化性塗料またはインク組成物」との構成を有する点で、本願発明１と軌を一にするものであって、本願発明４と引用発明Ａ〜Ｄとを対比すると、前記「３．」に記載した相違点Ａ−１〜Ａ−２、相違点Ｂ−１〜Ｂ−３、相違点Ｃ−１〜Ｃ−４、相違点Ｄ−１〜Ｄ−３と同様の相違点が存在するといえる。
　そして、これらの相違点のうち、相違点Ａ−２、相違点Ｂ−１、相違点Ｃ−２、相違点Ｄ−２に係る本願発明４の構成の点については、前記「３．」に当該相違点について記載した理由と同様の理由によって、引用文献Ａ〜Ｄに記載された発明、周知例１〜４に例示された周知技術に基づいて、当業者が容易になし得たものとはいえない。
（なお、「本願発明４は放射線硬化性塗料またはインク組成物の保存安定性を増大させる方法に係る発明であるのに対して、引用発明はそのような方法に係る発明でない点。」がさらに、本願発明４と各引用発明との相違点になるといえる。）。
　よって、その余の点について検討するまでもなく、本願発明４は、引用文献Ａ〜Ｄに記載された発明、周知例１〜４に例示された周知技術に基づいて、当業者が容易になし得たものとはいえない。
　　　　　　　　　　
　また、本願発明５も、その発明特定事項からみて、本願発明４について記載した上記の構成と同様の点で、本願発明１と軌を一にするものであって、本願発明５と引用発明Ａ〜Ｄとを対比すると、上記の本願発明４について記載した相違点と同様の相違点が存在するといえる。
　そして、それらの相違点のうち、相違点Ａ−２、相違点Ｂ−１、相違点Ｃ−２、相違点Ｄ−２に係る本願発明５の構成の点については、前記「３．」に当該相違点について記載した理由と同様の理由によって、引用文献Ａ〜Ｄに記載された発明、周知例１〜４に例示された周知技術に基づいて、当業者が容易になし得たものとはいえない。
（なお、「本願発明５は安定化剤ブレンドの使用に係る発明であるのに対して、引用発明はそのような使用に係る発明でない点。」がさらに、本願発明５と各引用発明との相違点になるといえる。）。
　よって、その余の点について検討するまでもなく、本願発明５は、引用文献Ａ〜Ｄに記載された発明、周知例１〜４に例示された周知技術に基づいて、当業者が容易になし得たものとはいえない。
　　　　　　　　　　
第５　むすび
　以上のとおりであって、本願は、原査定の理由によっては、拒絶することはできない。また、他に本願を拒絶すべき理由を発見しない。
　よって、結論のとおり審決する。